(57)【要約】【課題】訂正を容易にすることができる情報記載シートを提供することを目的とする。【解決手段】情報記載シート１は、１週間分のスケジュール等を記載するためのものであり、剥離可能に接着された第１シート５、及び第２シート７からなる。情報記載シート１の使用者はスケジュール記載欄２７にボールペン等の筆記具によってスケジュールを記載する。記載内容を誤った場合には、使用者は誤って記載したスケジュール記載欄２７をその外縁のスリット２９に沿って剥離する。すると、スケジュール記載欄２７が剥離された部分には、第２シート７が露出するから、使用者はこの部分に訂正内容を記載することができる。【選択図】  図４
2005014502.tif 000002
【特許請求の範囲】
【請求項１】
２枚のシートを剥離可能に接着した情報記載シートであって、表側のシートには、複数の単位記載欄を集合させた情報記載領域が設けられているとともに、前記複数の単位記載欄のうち所定の単位記載欄の外縁にはスリットが形成されており、このスリットによって前記所定の単位記載欄を剥離すると裏側のシートが露出可能とされていることを特徴とする情報記載シート。
【発明の詳細な説明】
【０００１】
【発明の属する技術分野】
本発明は、情報記載シートに関する。
【０００２】
【従来の技術】
スケジュール等は、システム手帳等に綴じられた情報記載シートに記載されることが多い（例えば、特許文献１参照）。
【０００３】
【特許文献１】
登録実用新案公報第３０５８６１８号公報（第１図）
【０００４】
【発明が解決しようとする課題】
このような情報記載シートにスケジュールを記載する場合に、スケジュール内容を誤って記載してしまう場合がある。
この場合に使用者は、そのスケジュールを訂正する必要があるが、スケジュールをボールペン等の消しゴムで消すことができないもので記載した場合には、修正インキによって誤記を塗りつぶしてその上から訂正内容を記載する必要がある。
【０００５】
ところが、出先でスケジュールを書き誤ってしまった場合には、使用者は修正インキを携帯していない場合が多いため修正することは困難である。
また、仮に修正インキを携帯しており修正可能であったとしても、修正インキが固まった部分には通常凹凸が生じているため、修正しずらく、修正後の文字等が読みづらい場合がある。
【０００６】
もちろん、修正インキによらなくても二重の取消線を誤記の上に引き、その周辺のスペースに訂正内容を書き込むこともできるが、システム手帳は携帯に便利なように小型化されており、情報記載シートも小型のものが使用されるため訂正内容を書き込むスペースがあまり残されていない。従って訂正内容の記載が困難な場合がある。
本発明は、上記課題に鑑みてなされたものであって、訂正を容易にすることができる情報記載シートを提供することを目的とする。
【０００７】
【課題を解決するための手段】
上記の目的を達成するための手段として、請求項１の発明は、２枚のシートを剥離可能に接着した情報記載シートであって、表側のシートには、複数の単位記載欄を集合させた情報記載領域が設けられているとともに、前記複数の単位記載欄のうち所定の単位記載欄の外縁にはスリットが形成されており、このスリットによって前記所定の単位記載欄を剥離すると裏側のシートが露出可能とされていることを特徴とする情報記載シートである。
【０００８】
【発明の作用及び効果】
＜請求項１の発明＞
請求項１の情報記載シートによれば、次の作用効果が奏される。
情報記載シートの使用者は、表側のシートの単位記載欄にスケジュール等を記載するが、記載内容を誤る場合がある。この場合には、使用者はスリットによってその単位記載欄を剥離する。すると、単位記載欄が剥離された部分には、裏側のシートが露出するから、使用者は、裏側のシートに訂正内容を記載することができる。すなわち、使用者は、修正ペン等を使わなくてもその訂正内容を書き込むことができる。
【０００９】
【発明の実施の形態】
＜第１実施形態＞
以下、本発明の第１実施形態について図１ないし図６を参照しつつ説明する。
情報記載シート１は、１週間分のスケジュール等を記載するためのものであり、図１に示されるように、図示しないシステム手帳のバインダ金具に綴じられるように一長辺（図１において左側の長辺）に沿って複数の綴じ穴６が開けられている。なお、情報記載シート１のサイズは、例えば１７１ｍｍ×９５ｍｍとされている。
【００１０】
情報記載シート１は、図２に示されるように第１シート５（本発明の表側のシートに相当）、第２シート７（本発明の裏側のシートに相当）、及び第１シート５と第２シート７とを接着している接着層９からなる。第１シート５は、その片面がボールペン等で書き込み可能な情報記載面５Ａ（本発明の情報記載領域に相当）とされた、例えば約４５μｍ厚みの用紙である。同様に、第２シート７は、その片面がボールペン等で書き込み可能な情報記載面７Ａとされた、例えば約４５μｍ厚みの用紙である。
【００１１】
接着層９は、第１シート５の情報記載面５Ａの反対面５Ｂと、第２シート７の情報記載面７Ａとを接着している。接着層９は、例えば重合度、添加剤等が異なる２種類の熱可塑性樹脂フィルム、例えばポリエチレン製の樹脂フィルム１１，１３を積層したものであり、２つの樹脂フィルム１１，１３は、溶融することにより相互に剥離不能に接着されて接着層９をなしている。そして、接着層９は溶融されて第１シート５及び第２シート７に接着されている。
【００１２】
樹脂フィルム１１が第１シート５に接着されている接着力は、樹脂フィルム１３が第２シート７に接着されている接着力よりも大きくなるように設定されており、第１シート５を第２シート７から引き剥がそうとした場合には、樹脂フィルム１３と第２シート７との間で剥離されるようになっている。すなわち、接着層９は、第１記録シート５とともに第２シート７から剥離されるようになっている。
【００１３】
第１シート５の情報記載面５Ａには、図１に示すように第１シート５の短辺に各々平行な８本の第１横罫線１５が縦方向に等間隔で印刷される。また、第１情報記載シート５の長辺に各々平行な３本の縦罫線１７が、第１横罫線１５の左右両端と、第１横罫線１５の左端から第１横罫線１５の長さの約１／４程度内側の位置において最上位の第１横罫線１５から最下位の第１横罫線１５まで印刷されている。このようにして、縦方向に７つに区分され、横方向に２つに区分された合計１４個の情報記載欄１９が設けられている。
【００１４】
情報記載欄１９の左欄１９Ａには、予め日付、曜日等が上方から下方に向かうにつれて日付が１日ずつ増すように１週間分印刷されている。
情報記載欄１９の右欄１９Ｂには、第１横罫線１５に各々平行な第２横罫線２５が複数本印刷され、第１横罫線１５により区画された領域を更に細分化して本発明の各単位記載欄に相当するスケジュール記載欄２７としている。これらのスケジュール記載欄２７に左欄１９Ｂに記載された日付に行われるスケジュール等を記載できるようになっている。
【００１５】
さらに、各スケジュール記載欄２７の外縁には、スリット２９が入れられている。すなわち、第１シート５には、第２横罫線２５、第１横罫線１５のうち各スケジュール記載欄２７の外縁に相当する部分、縦罫線１７のうち第１横罫線１５の右端に位置するもの及び第１横罫線１５の左端から第１横罫線１５の長さの約１／４程度内側の位置とされたものに沿ってスリット２９が入れられている。なお、各スリット２９は、接着層９も貫通している。
このようにして、第１シート５のスケジュール記載欄２７に対応する領域は、その周辺領域から切り離し可能とされている。
【００１６】
次に、情報記載シート１の使用方法について説明する。
情報記載シート１の使用者は各スケジュール記載欄２７にボールペン等の筆記具によってスケジュールを記載する。
しかし、記載内容を誤る場合がある（本実施形態では図３に示すように、４月３０日に「ＤＥＦ会社と打ち合わせ」と記載すべきところを「ＡＢＣ会社と打ち合わせ」と誤って記載したものとする）。
【００１７】
この場合には、第１シート５のうち、「ＡＢＣ会社と打ち合わせ」と記載したスケジュール記載欄２７に相当する領域をスリット２９によってその周辺領域から分離しつつ第２シート７から剥離する。この際、第１シート５と接着層９との接着力の方が、第２シート７と接着層９との接着力よりも大きくされているから、接着層９が接着した状態で第１シート５は第２シート７から剥離される（図３、図４参照）。
【００１８】
すると、第１シート５が剥離された部分には、第２シート７の情報記載面７Ａが露出するから、使用者は、この部分に訂正内容を記載することができる。すなわち、使用者は、修正ペン等を使わなくてもその訂正内容を書き込むことができる（図５，図６参照）。
【００１９】
＜第２実施形態＞
次に、第２実施形態について図７を参照しつつ説明する。第２実施形態では、第１実施形態と異なる構成のみ説明し、第１実施形態と同一の他の構成、作用、効果については省略する。第２実施形態では、第２シート７の両面が情報記載面７Ａとなっており、それぞれの面に、第１実施形態の場合と同様の第１シート５が接着層９を介して接着されている。
本実施形態の情報記載シート１によれば、使用者は情報記載シート１の両面において修正ペン等を使わなくてもその訂正内容を書き込むことができる。
【００２０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、情報記載シート１は、システム手帳に綴じることができるシステム手帳用のリファイルとして説明したが、情報記載シート１はファイルに綴じられるものに限らず、綴じずにシート状態のまま使用するものであってもよい。
【００２１】
（２）上記実施形態では、情報記載シート１は、週間スケジュールを記載するものとしたが、これに限られず、他の情報、例えば、月間スケジュール、年間スケジュール、アドレス等を記載するものであってもよい。
【００２２】
（３）上記実施形態では、単位記載欄たるスケジュール記載欄２７の外縁部には、各罫線が印刷されているものとしたが、単位記載欄の外縁部に罫線が印刷されていなくてもよい。
【００２３】
（４）上記実施形態では、情報記載シート１のサイズは、１７１ｍｍ×９５ｍｍとしたが、サイズは特に限定されず、例えば、Ａ３、Ａ４、Ａ５、Ａ６、Ｂ４、Ｂ５等であってもよい。
【００２４】
（５）上記実施形態では、日付、曜日等が予め印刷されているものとしたが、これらは予め印刷されていなくてもよい。
【００２５】
（６）上記実施形態では、接着層９は２層としたが、１層であっても３層以上としてもよい。
【００２６】
（７）上記実施形態では、接着層９はポリエチレン製の樹脂フィルム１１，１３としたが、これに限定されず、例えば、ポリプロピレン等の他のオレフィン系樹脂フィルムであってもよい。
【００２７】
（８）本発明では、第１シート５，及び第２シート７の材質は特に限定されず、例えばコ−ト紙、上質紙、クラフト紙、微塗工紙、サ−マル紙その他の紙類が使用できる。
【００２８】
（９）上記実施形態では、スケジュール記載欄２７は略長方形状としたが、単位記載欄の形状は特に限定されない。
【００２９】
（１０）上記実施形態では、全ての単位記載欄（スケジュール記載欄２７）の外縁にスリット２９が入れられていることとしたが、単位記載欄のうち一部のものの外縁のみにスリットを入れてもよい。
【図面の簡単な説明】
【図１】本発明の第１実施形態に係る情報記載シートの平面図である。
【図２】図１のＩＩ−ＩＩ断面図である。
【図３】情報記載シートの使用状態を示す図である。
【図４】図３のＩＶ−ＩＶ断面図である。
【図５】情報記載シートの使用状態を示す図である。
【図６】図５のＶＩ−ＶＩ断面図である。
【図７】本発明の第２実施形態に係る情報記載シートの断面図である。
【符号の説明】
１…情報記載シート
５…第１シート
７…第２シート
９…接着層
１１…樹脂フィルム
１３…樹脂フィルム
２７…スケジュール記載欄（単位記載欄）
２９…スリット
【図１】
2005014502.tif 000003
【図２】
2005014502.tif 000004
【図３】
2005014502.tif 000005
【図４】
2005014502.tif 000006
【図５】
2005014502.tif 000007
【図６】
2005014502.tif 000008
【図７】
2005014502.tif 000009